(57)【要約】【目的】本発明は、飼育中の多数の鶏の産卵量をもとに死亡率を推定する死亡率自動推定方法に関し、多量の鶏を飼育する養鶏場において、鶏の週齢の違いによる全体の生産量の変化、更に、換羽後の全体の生産量の変化に適合させて、産卵量を元に死亡率が危険状態にあるか否かを的確に判定することを目的とする。【構成】  飼育中の多数の鶏の所定期間毎の産卵量を読み込むステップと、鶏の現在の週齢の産卵率、卵重をテーブルから読み込むステップと、読み込んだ産卵率、卵重をもとに理論生産量を算出するステップと、算出した理論生産量と死亡危険率とから限界生産量を算出するステップと、読み込んだ産卵量が算出した限界生産量を下回ったときに死亡率が大きいと判定するステップとを有する産卵による死亡率自動推定方法である。【選択図】        図１
2006051000.tif 000002
【特許請求の範囲】
【請求項１】
飼育中の多数の鶏の産卵量をもとに死亡率を推定する死亡率自動推定方法において、
飼育中の多数の鶏の所定の期間毎の産卵量を読み込むステップと、
前記鶏の現在の週齢の産卵率、卵重を第一のテーブルから読み込むステップと、
前記読み込んだ産卵率、卵重をもとに理論生産量を算出するステップと、
前記算出した理論生産量と死亡危険率とから限界生産量を算出するステップと、
前記読み込んだ産卵量が前記算出した限界生産量を下回ったときに死亡率が大きいと判定するステップと
を有する産卵量による死亡率自動推定方法。
【請求項２】
前記飼育中の多数の鶏が換羽後であって通常の産卵状態に戻るまでの期間は、前記鶏の現在の週齢の産卵量、卵重を読み込むテーブルを前記第一のテーブルから第二のテーブルに切り換えることを特徴とする請求項１記載の産卵量による死亡率自動推定方法。
【請求項３】
前記飼育中の多数の鶏が換羽中もしくは換羽後であって通常の産卵状態に戻るまでの期間の前記所定の期間の産卵量が所定の値を上回った場合に、前記鶏の現在の週齢の産卵率、卵重を読み込むテーブルを前記第二のテーブルから前記第一のテーブルへ切り換えることを特徴とする請求項１あるいは請求項２記載の産卵量による死亡率自動推定方法。
【発明の詳細な説明】
【技術分野】
【０００１】
本発明は、養鶏の重大疾病を早期に発見するために、飼育中の多数の鶏の産卵量をもとに死亡率を推定する死亡率自動推定方法に関するものである。
【背景技術】
【０００２】
産卵鶏を飼育する養鶏場では、同一の鶏舎やケージなどで数千から数万の単位で鶏を飼育しており、１羽ずつの管理を行なうことは事実上困難である。そのため一般的には、同一鶏舎または同一ケージを１つのグループと捉え、産卵量の総量である生産量や、死亡鶏の管理もそのグループ単位で行なっている。一定期間中にケージから多少の死亡鶏が出ても、大量の鶏が死亡する伝染病などの重大疾病以外の理由による数羽の死亡であれば、全羽数からみると誤差範囲であり、そのケージから死亡鶏を排除するのみで、新たな鶏は補充しない。
【０００３】
また、産卵鶏は闘争本能が強く、新しい鶏をケージに入れると、前からいた鶏との間で順位闘争が始まってしまう。順位闘争中は産卵しない傾向にあるため、産卵率が大きく減少してしまう。これも新たな鶏を補充しないことの理由に挙げられる。従って、１つのケージは、ほぼ同一週齢の鶏で構成され、鶏は、生まれてから死ぬまでのほとんどの期間を同一のケージの中で過ごす。
【０００４】
さて、産卵鶏は一般的に生後５ケ月から産卵を開始し、以後１６ケ月間程度は産卵を続けるが、そのまま産卵を続けさせるとその後徐々に産卵率が低下してしまうので、人工的に換羽を行なわせる必要がある。換羽とは、羽の抜け変わりを促し鶏の体を休めて、通常の産卵状態に戻れるようにするための行為である。換羽期間中の鶏は産卵を休止する。餌を与えずに水のみを与えて、室内を暗くする（照明をつけない）環境に２週間程度おくと、鶏は自然に換羽の状態になる。但し、このような環境下で実際に換羽の状態に入るまでには、個々の鶏で多少の時間差がある。人工的に換羽を行なうと、鶏は１．５ケ月程度産卵を休止し、その後徐々に通常の産卵率に戻る。産卵休止期間や通常の産卵率への戻り方も、個々の鶏によって多少の時間差がある。
【０００５】
また、家畜（牛）の身体的状態として乳収量などを測定し、予想値と比較することで、病気にかかっているらしい動物を識別する技術がある（特許文献１）。
【特許文献１】特表２０００−５１１７７８号公報
【発明の開示】
【発明が解決しようとする課題】
【０００６】
さて、養鶏場では、例えばケージに首を引っ掛けることによる窒息などの事故も含め、飼育期間中ある程度の数の鶏は死亡するものである。そこで、養鶏場の管理者は、通常起こりうる原因による死亡なのか、多くの鶏を死に至らしめる重大な病気（例えば鳥インフルエンザ）などの原因による大量死なのかを確認するために、どの程度の死亡率であるかを実際に養鶏場に出向いて死亡している鶏をチェックして死亡率を把握する必要がある。
【０００７】
しかし、上述した多数の鶏を飼育する養鶏場では小規模でも１０００羽以上、中規模で数万羽単位で管理を行っており、毎日、全ケージを目視チェックして死亡した鶏数を確認し死亡率を算出し、異常か否かを判断することは実際上不可能であった。
【０００８】
また、上述した牛の乳収量などを測定し、予想値と比較することで、病気にかかっているらしい動物（個体）を識別する技術では、牛、１頭１頭について毎日その乳収量をチェックする必要があり、鶏の場合には１羽１羽、卵の個数と卵重を測定することは不可能であり、しかも、日齢により卵重が変化したり、更に、換羽時は卵を産まなく、換羽後でも通常の産卵状態に戻るまでの期間である換羽回復期間は換羽前の卵重データが使えなかったりするなどの問題があった。
【課題を解決するための手段】
【０００９】
本発明は、これらの問題を解決するため、飼育場で飼育中の多数の鶏（産卵鶏）が産卵した全体の生産量、個数を測定して当該週齢の理論生産量に対する誤差率を算出して記録すると共に、誤差率が所定値よりも小さくあるいは指定日数経過後に、日毎に計測した生産量（あるいは誤差率を考慮した補正後生産量）と、テーブルを参照して算出した週齢の理論生産量と危険死亡率から算出した限界生産量とを比較して危険死亡率であるか否かを判定したり、更に、換羽中は監視を停止して当該換羽終了後の換羽回復期間は切り換えた換羽後のテーブルを参照して算出した週齢の理論生産量と危険死亡率から算出した限界生産量とを比較して危険死亡率か否かを判定するようにしている。
【００１０】
従って、多数の鶏を飼育する養鶏場において、鶏の週齢の違いによる全体の生産量の変化、更に、換羽後の全体の生産量の変化に適合させて正確に予測して死亡率が危険状態にあるか否かを的確に自動判定することが可能となる。
【発明の効果】
【００１１】
本願発明は、多数の鶏を飼育する養鶏場において、鶏の週齢の違いによる全体の生産量の変化、更に、換羽後の全体の生産量の変化に適合させて正確に予測して死亡率が危険状態にあるか否かを的確に自動判定することが可能となる。
【発明を実施するための最良の形態】
【００１２】
本発明は、飼育場で飼育中の多数の鶏（産卵鶏）が産卵した全体の生産量、個数を測定して当該週齢の理論生産量に対する誤差率を算出して記録すると共に、誤差率が所定値よりも小さくあるいは指定日数経過後に、日毎に計測した生産量（あるいは誤差率を考慮した補正後生産量）と、テーブルを参照して算出した週齢の理論生産量と危険死亡率から算出した限界生産量とを比較して危険死亡率であるか否かを判定したり、更に、換羽中は監視を停止して当該換羽終了後の換羽回復期間は切り換えた換羽後のテーブルを参照して算出した週齢の理論生産量と危険死亡率から算出した限界生産量とを比較して危険死亡率か否かを判定することを実現した。
【実施例１】
【００１３】
図１は、本発明のシステム構成図を示す。
図１において、処理装置１は、プログラムに従い各種処理を実行するものであって、ここでは、生産量（卵）読込処理手段１２、誤差率算出処理手段１３、限界生産量算出処理手段１４、安全領域判定手段１５、換羽判定手段１６、危険アラーム発信処理手段１７、換羽休止後限界生産量算出手段１８、安全領域判定手段１９、および２１から２９のテーブルなどから構成されるものである。
【００１４】
生産量（卵）読込処理手段１２は、鶏舎で飼育される多数の鶏が産んだ卵の総生産量（卵）を読み込む（例えば日毎に読み込む）ものである。
【００１５】
誤差率算出処理手段１３は、生産量読込処理手段１２によって読み込まれた生産量（例えば日毎の生産量）と、週齢産卵率テーブル２２および週齢卵重テーブル２３から読み込んだ鶏の現在の週齢の産卵率、卵重をもとに算出した理論生産量と、現在の生産量とから誤差率を算出するものである（図２から図４、および図５参照）。
【００１６】
限界生産量算出処理手段１４は、鶏の現在の週齢の理論生産量と、危険死亡率から限界生産量を算出するものである（図２から図４および図５参照）。
【００１７】
安全領域判定手段１５は、現在の鶏の生産量が、限界生産量算出処理手段１４によって算出した限界生産量範囲内か判別するものである（図２から図４、および図５参照）。        
【００１８】
換羽判定手段１６は、鶏が換羽期間中であるかどうかを判定するものである（図２から図４、図６、図７参照）。
【００１９】
危険アラーム発信処理手段１７は、現在の鶏の生産量が、限界生産量の範囲外となったときに死亡率が大きいという危険アラームを発信するものである（図２から図４参照）。      
【００２０】
換羽休止後限界生産量算出処理手段１８は、換羽後であって、まだ通常の産卵状態に戻らない期間である換羽回復期間中の鶏の現在の週齢の理論生産量と、危険死亡率から限界生産量を算出するものである（図２から図４、および図５、図７参照）。
【００２１】
安全領域判定手段１９は、換羽回復期間中の現在の鶏の生産量が、換羽休止後限界生産量算出処理手段１８によって算出した限界生産量範囲内か判別するものである（図２から図４、および図５、図７参照）。
【００２２】
生産量テーブル２１は、鶏の日毎の生産量（卵）を格納するテーブルである（図５の（ｄ）参照）。
【００２３】
週齢産卵率テーブル２２は、鶏の週齢毎の産卵率を予め登録したテーブルである（図５の（ｃ）参照）。
【００２４】
週齢卵重テーブル２３は、鶏の週齢毎の卵重を予め登録したテーブルである（図５の（ａ）参照）。
【００２５】
誤差率テーブル２４は、鶏の現在の生産量と、理論生産量との誤差率を登録するものである（図５の（ｅ）参照）。
【００２６】
死亡率テーブル２５は、鶏の週齢毎の死亡率を予め登録したものである（図５の（ｂ）参照）。
【００２７】
換羽後卵重テーブル２６は、換羽後の換羽回復期間中の鶏の週齢毎の卵重を予め登録したテーブルである（図５の（ｆ）参照）。
【００２８】
換羽後産卵率テーブル２７は、換羽後の換羽回復期間中の鶏の週齢毎の産卵率を予め登録したテーブルである（図５の（ｈ）参照）。
【００２９】
換羽後誤差率テーブル２８は、換羽後の換羽回復期間中の鶏の週齢毎の誤差率を格納するテーブルである（図５の（ｉ）参照）。
【００３０】
換羽後死亡率テーブル２９は、換羽後の換羽回復期間中の鶏の週齢毎の死亡率を予め登録したテーブルである（図５の（ｇ）参照）。
【００３１】
設備機器３は、多数の鶏を飼育する養鶏場の各種設備であって、ここでは、鶏の卵の生産量を計測し、生産量テーブル２１に設定するものである。
【００３２】
端末４は、処理装置１に接続して各種指示、データの入力を行ったり、結果を表示したりなどする端末（例えばパソコン）である。
【００３３】
管理者５は、多数の鶏を飼育する養鶏場を管理する管理者（作業者）である。
次に、図２から図４のフローチャートの順番に従い、図１の構成の動作を詳細に説明する。
【００３４】
図２から図４は、本発明の動作説明フローチャートを示す。ここで説明される処理は、例えば１日に１回など、適当なタイミングで起動されるものである。また、処理の対象は、例えば鶏舎やケージ毎など、養鶏場の管理単位に適宜あわせることができる。
【００３５】
図２において、Ｓ１は、現在の飼育数（Ｃｎ）、週齢を入力する。これは、管理者が端末４を操作し、本処理の対象とするケージで飼育している鶏の現在の飼育数Ｃｎ、および週齢を入力する。
【００３６】
Ｓ２は、現週齢の産卵率（Ｌｎ），卵重（Ｅｎ）を読み込む。これは、飼育している現在の鶏の週齢の産卵率Ｌｎを図５の（ｃ）の週齢産卵率テーブル２２から読み込み、また、卵重Ｅｎを図５の（ａ）の週齢卵重テーブル２３から読み込む。
【００３７】
Ｓ３は、現在の飼育数より理論生産量（Ｗｎ）を算出する。これは、Ｓ１で入力された現在の飼育数Ｃｎと、Ｓ２で読み込んだ現在の週齢の産卵率Ｌｎ、卵重Ｅｎについて、図示の下記の（式１）に代入して理論生産量Ｗｎを算出する。
【００３８】
Ｗｎ＝Ｌｎ×Ｅｎ×Ｃｎ・・・・・・・・・・・（式１）
Ｓ４は、（ｎ−１）日から（ｎ−７）日の実生産量（Ｇｎ）（期間はシステムにより設定）を読み込み、日平均生産量（ＡＶｎ）を算出する。これは、図示の（式２）で（即ち、１週間分である７日分の生産量の総和を求め（（式２）の分子）、これを７で除算し）、日平均生産量ＡＶｎを算出する。
【００３９】
７
ＡＶｎ＝（ΣＧｎ−１）／７・・・・・・・・（式２）
ｉ＝１
Ｓ５は、理論生産量（Ｗｎ）と日平均生産量（ＡＶｎ）の誤差率（Ｒｎ）を算出する。これは、図示の下記の（式３）で誤差率（Ｒｎ）を算出する。そして、誤差率テーブル２４に週齢の誤差率として登録（格納）して記録する。
【００４０】
Ｒｎ＝ＡＶｎ／Ｗｎ・・・・・・・・・・・・・・（式３）
Ｓ６は、本日の生産量（Ｇｎ）を読み込む。これは、図１で養鶏場の設備機器から本日の卵の生産量Ｇｎが生産量テーブル２１に書き込まれるのでそれを読み込む。
【００４１】
Ｓ７は、本日の生産量を誤差率で補正し、補正後生産量（ＨＧｎ）を算出する。これは、Ｓ６で読み込んだ本日の卵の生産量Ｇｎに、上述したＳ５で算出した誤差率Ｒｎ（例えば前日の誤差率Ｒｎ）をもとに下記の（式４）で補正後生産量ＨＧｎを算出する（即ち、本日の生産量Ｇｎを誤差率で除算し、理論上の生産量に相当する補正後生産量ＨＧｎを算出する）。
【００４２】
ＨＧｎ＝Ｇｎ／Ｒｎ・・・・・・・（式４）
Ｓ８は、理論生産量と危険死亡率より限界生産量（Ｆｎ）を算出する。これは、図示の下記の（式５）により限界生産量Ｆｎを算出する。
【００４３】
Ｆｎ＝Ｗｎ×（１−Ｄｒ）・・・・・・・・（式５）
ここで、Ｗｎは、Ｓ３と同様にして算出した本日（週齢）の理論生産量Ｗｎである。危険死亡率は、図２のＳ８の右側に記載したように、
・前回鶏数入力時の週齢：ｘ
・現在の週齢：ｙ
とすると、現在の危険死亡率Ｄｒは、
Ｄｒ＝Ｄｙ−Ｄｘ
となる。Ｄｙ、Ｄｘは、図５の（ｂ）の週齢死亡率テーブル２５から週齢ｙ，ｘの死亡率をそれぞれ読み込んだものである。
【００４４】
Ｓ９は、ＨＧｎ＞Ｆｎか判別する。これは、Ｓ７で算出した本日の補正後生産量ＨＧｎが、Ｓ８で算出した限界生産量Ｆｎ以上であるかどうか、すなわち安全領域か判別する。ＹＥＳの場合には、本日の卵の生産量が限界生産量以上で、正常と判定されたので、終了する。ＮＯの場合には、本日の卵の生産量が限界生産量以下で、異常と判定されたので、Ｓ１０に進む。  
【００４５】
生産量が異常に少ない場合は、その理由として、伝染病などの理由により大量の鶏が死亡したため産卵数が少なくなったか、もしくは換羽期間中であるため産卵数が少なくなったかのいずれかが想定されるため、以後の処理で換羽期間中であるかどうかを考慮する。
【００４６】
Ｓ１０は、換羽テーブルを参照する。これは、換羽テーブル３０にフラグ＝１（換羽）と設定されていて本日の鶏の状態が換羽中もしくは換羽回復期間中であるか、あるいはフラグ＝０（通常）と設定されていて本日の鶏の状態が換羽中でないか読み込む。
【００４７】
Ｓ１１は、換羽フラグ＝１（換羽）か判別する。ＹＥＳの場合には、換羽中もしくは換羽回復期間中と判明したので、Ｓ１２に進む。一方、ＮＯの場合には、換羽中でなく通常と判明したので、Ｓ１８で危険アラーム発信する。これは、換羽中でないのに、本日の生産量（補正後生産量）が限界生産量よりも小さく、鶏が死亡危険率以上に多数死亡したと予測できるので、鶏の多数死亡発生の危険アラームを発信することを意味する。
【００４８】
Ｓ１２は、換羽に伴う産卵率低下の確認処理を行う。これは、後述する図６の（ａ）の確認処理を行う。
【００４９】
換羽を終えた鶏は徐々に産卵を開始し、通常の産卵率に戻っていく。従って、ケージ全体の生産量としてみると、全羽が換羽中もしくはこれに近い状態の場合は、生産量が０に近くなり、換羽を終えて産卵を開始した換羽回復期中の鶏が増えていくにつれ、生産量が徐々に増加する。そして、最終的には、該当する週齢の通常の生産量になる。そこで、Ｓ１３は、産卵休止期間から換羽回復期間に入ったかどうか、すなわち一部の鶏で産卵が開始されたかを確認するための産卵量確認を行う。これは、日毎の卵の生産量が格納される生産量テーブル２１を参照し、換羽開始後に、一部産卵開始後の産卵量Ｇｍを読み込んで確認する。
【００５０】
Ｓ１４は、Ｇｍ＞αか判別する。これは、Ｓ１３で確認した換羽開始後に一部の産卵が開始されその産卵量Ｇｍが、α（換羽後の産卵開始からの死亡率監視機能を開始するトリガとなる産卵量をシステムにより設定する、α＞＝O）よりも大きい、もしくは等しいか判別する。このＳ１４の処理は、まだ大多数の鶏が換羽中で生産量が少なく（Ｇｍ＜α）、生産量から死亡率を推定するのは困難な状態にあるか、換羽を終えて産卵を開始した換羽回復期の鶏が増えていくにつれ、生産量が徐々に増加し（Ｇｍ＞α）、生産量から死亡率を推定可能な状態にあるかを判断するためのものである。ＹＥＳの場合には、換羽後に産卵開始して死亡率監視機能が動作開始される産卵量（α）に達したと判明したので、Ｓ１５以降で換羽回復期間中の死亡率監視機能の動作を開始させる。
【００５１】
Ｓ１５は、現在の飼鶏数（Ｃｍ）を入力する。
【００５２】
Ｓ１６は、現週齢の産卵率（Ｌｍ），卵重（Ｅｍ）を読み込む。これは、換羽回復期間中の死亡率監視機能を再開させた現在の鶏の週齢の換羽回復期間中の産卵率Ｌｍを図５の（ｈ）の週齢産卵率テーブル２７から読み込む、および換羽後の卵重Ｅｎを図５の（ｆ）の週齢卵重テーブル２６から読み込む。
【００５３】
Ｓ１７は、現在の飼育数より理論生産量（Ｗｍ）を算出する。これは、Ｓ１５で入力された換羽回復期間中の現在の飼育数Ｃｍと、Ｓ１６で読み込んだ現在の週齢の換羽後の産卵率Ｌｍ、卵重Ｅｍについて、図示の下記の（式１１）に代入して理論生産量Ｗｍを算出する。
【００５４】
Ｗｍ＝Ｌｍ×Ｅｍ×Ｃｍ・・・・・・・・・・・（式１１）
図４のＳ２１は、本日の生産量（Ｇｍ）、産卵個数（Ｋｍ）を読み込む。これは、図１で養鶏場の設備機器から本日の卵の換羽回復期間中の生産量Ｇｍ、産卵個数Ｋｍが生産量テーブル２１に書き込まれるのでそれを読み込む。
【００５５】
Ｓ２２は、本日の産卵率（Ｌ’ｍ）、卵重（Ｅ’ｍ）を算出する。
Ｌ’ｍ＝Ｋｍ／Ｃｍ  
Ｅ’ｍ＝Ｇｍ／Ｋｍ・・・・・・・・（式１２）
Ｓ２３は、通常産卵へ復帰確認処理を行う。これは、後述する図６の（ｂ）の処理を行う。
【００５６】
Ｓ２４は、理論生産量（Ｗｎ）と本日生産量（Ｇｍ）の誤差率（Ｒｍ）を算出する。        Ｒｍ＝Ｇｍ／Ｗｍ・・・・・・・・・・（式１３）
そして、算出した誤差率Ｒｍを換羽後誤差率テーブル２８の週齢の欄に登録して記録する。
【００５７】
Ｓ２５は、本日の生産量を前日誤差率で補正し、補正後生産量（ＨＧｍ）を算出する。これは、Ｓ２１で読み込んだ本日の卵の生産量Ｇｍに、上述したＳ２４で算出した誤差率Ｒｍ（例えば前日の誤差率Ｒｍ）をもとに下記の（式１４）で補正後生産量ＨＧｍを算出する。即ち、本日の生産量Ｇｍを誤差率で除算し、理論上の生産量に相当する換羽後の補正後生産量ＨＧｍを算出する。
【００５８】
ＨＧｍ＝Ｇｍ／Ｒｍ−１・・・・・・・（式１４）
Ｓ２６は、理論生産量と危険死亡率より限界生産量（Ｆｍ）を算出する。これは、図示の下記の（式１５）により限界生産量Ｆｎを算出する。
【００５９】
Ｆｍ＝Ｗｍ×（１−Ｄ’ｒ）＝Ｌｍ×Ｅｍ×Ｃｍ×（１−Ｄ’ｒ）・・・（式１５）
ここで、Ｗｍは、Ｓ３と同様にして算出した本日（週齢）の換羽回復期間中の理論生産量（Ｗｍ＝Ｌｍ×Ｅｍ×Ｃｍ）である。危険死亡率は、既述したように、
・換羽回復期間中の前回鶏数入力時の週齢：ｘ
・換羽回復期間中の現在の週齢：ｙ
とすると、換羽回復期間中の現在の危険死亡率Ｄ’ｒは、
Ｄ’ｒ＝Ｄ’ｙ−Ｄ’ｘ
となる。Ｄ’ｙ、Ｄ’ｘは、図５の（ｇ）の換羽回復期間中の週齢死亡率テーブル２９から週齢ｙ，ｘの死亡率をそれぞれ読み込んだものである。
【００６０】
Ｓ２７は、ＨＧｍ＞Ｆｍか判別する。これは、Ｓ２５で算出した換羽回復期間中の本日の補正後生産量ＨＧｍが、Ｓ２６で算出した換羽回復期間中の限界生産量Ｆｍ以上、すなわち安全領域か判別する。ＹＥＳの場合には、換羽回復期間中である本日の卵の生産量が限界生産量以上で、正常と判定されたので、終了する。ＮＯの場合には、生産量が限界生産量以下で、異常と判定されたので、Ｓ２８で危険アラーム発信する  これは、換羽回復期間中である本日の生産量（補正後生産量）が換羽回復期間中の限界生産量よりも小さく、鶏が危険死亡率以上に多数死亡したと予測できるので、鶏の多数死亡発生の危険アラームを発信することを意味する。
【００６１】
以上によって、飼育場で飼育中の多数の鶏（産卵鶏）が産卵した全体の生産量、個数を測定して当該週齢の理論生産量に対する誤差率を算出して記録すると共に、誤差率が所定値よりも小さくあるいは指定日数経過後に、日毎に計測した生産量（あるいは誤差率を考慮した補正後生産量）と、テーブルを参照して算出した週齢の理論生産量と危険死亡率から算出した限界生産量とを比較して危険死亡率であるか否かを判定し、更に、換羽中は監視を停止して当該換羽終了後は切り換えた換羽後のテーブルを参照して算出した週齢の理論生産量と危険死亡率から算出した限界生産量とを比較して危険死亡率か否かを判定することが可能となる。これにより、多数の鶏を飼育する養鶏場において、鶏の週齢の違いによる全体の生産量の変化、更に、換羽回復期間中の全体の生産量の変化に適合させて正確に予測して死亡率が危険状態にあるか否かを的確に自動判定することが可能となる。
【００６２】
図５は、本発明のテーブル例を示す。
図５の（ａ）は、週齢卵重テーブル（通常時）の例を示す。図示の週齢卵重テーブル２３は、通常時（換羽時でない時）のものであって、図示の下記の情報を対応づけて予め登録したものである。
【００６３】
・週齢：
・卵重（例えばｇ）：
・その他：
ここで、週齢は、鶏が生まれてからの週数である。卵重は卵１個の重さであって、週齢によって値が異なり、過去の多数の鶏の実測データの各週齢毎の平均を登録したものである。
【００６４】
以上のように、週齢に対応づけて卵重を登録することにより、当該卵重、更に、産卵率Ｌｎ，Ｌｍ、養鶏数Ｃｎ，Ｃｍをもとに理論生産量Ｗｎ，Ｗｍを算出することが可能となる（（式１），（式１１）など参照）。
【００６５】
図５の（ｂ）は、週齢死亡率（疾病発生なしの場合の最大値）テーブル（通常時）を示す。図示の週齢死亡率テーブル２５は、通常時（換羽時でない時）のものであって、図示の下記の情報を対応づけて予め登録したものである。
【００６６】
・週齢：
・標準死亡率（％）：
・その他：
ここで、標準死亡率は、週齢時（日毎、あるいは１週間毎）の平均の死亡率である。
【００６７】
以上のように、週齢に対応づけて死亡率を登録することにより、（式５）、（式１５）で当該死亡率をもとに限界生産量を算出することが可能となる。
【００６８】
図５の（ｃ）は、週齢産卵率テーブル（通常時）の例を示す。図示の週齢産卵率テーブル２２は、通常時（換羽時でない時）のものであって、図示の下記の情報を対応づけて予め登録したものである。
【００６９】
・週齢：
・産卵率：
・その他：
ここで、産卵率は鶏１羽あたりの平均産卵個数であって、当該産卵率に、卵重と飼鶏数を乗算すると全体の理論上の理論生産量（Ｗｎ，Ｗｍ）を算出するためのものである（（式１）、（式１１）参照）。
【００７０】
以上のように、週齢に対応づけて産卵率を登録することにより、当該産卵率、更に、卵重Ｅｎ，Ｅｍ、養鶏数Ｃｎ，Ｃｍをもとに理論生産量Ｗｎ，Ｗｍを算出することが可能となる（（式１）、（式１１）など参照）。
【００７１】
図５の（ｄ）は、生産量テーブルの例を示す。図示の生産量テーブル２１は、図１の養鶏場に設けた設備機器が飼育する鶏が産卵した卵の総重量である生産量、個数を測定して格納（登録）するテーブルであって、図示の下記の情報を対応づけて登録したものである。
【００７２】
・日付：
・生産量：
・その他（個数など）：
ここで、日付は西暦などの日付である。生産量は全体の卵の生産量（重さ）である。その他として、生産された卵の個数を登録する。
【００７３】
図５の（ｅ）は、誤差率テーブル（通常時）の例を示す。図示の誤差率テーブル２４は、既述した図２のＳ５の（式３）で算出して登録したものであって、図示の下記の情報を対応づけて登録（格納して記録）するものである。
【００７４】
・日付（週齢）：
・誤差率：
・その他：
ここで、誤差率は既述した図２のＳ５の（式３）で算出した日付毎の値（誤差率Ｒｎ）である。
【００７５】
図５の（ｆ）は、換羽後卵重テーブルの例を示す。図示の換羽後卵重テーブル２６は、換羽回復期間の卵重テーブル２６であって、図示の下記の情報を対応づけて登録したものである。
【００７６】
・換羽後週：
・卵重（ｇ）：
・その他：
ここで、換羽後週は、換羽が始まってから経過した週数である。
【００７７】
図５の（ｇ）は、換羽後死亡率（疾病発生なしの場合の最大値）テーブルの例を示す。図示の換羽後死亡率テーブル２９は、換羽回復期間の鶏の死亡率テーブルであって、図示の下記の情報を対応づけて登録したものである。
【００７８】
・産卵開始後（日）：
・標準死亡率（％）：
・その他：
ここで、産卵開始後（日）は、換羽後に産卵を開始（再開）した日である。標準死亡率は換羽回復期間の標準死亡率である。
【００７９】
図５の（ｈ）は、換羽後産卵率テーブルの例を示す。図示の換羽後産卵率テーブル２７は、換羽回復期間に産卵を開始した後の産卵率テーブルであって、図示の下記の情報を対応づけて登録したものである。
【００８０】
・産卵開始後（日）：
・産卵率：
・その他：
図５の（ｉ）は、換羽後誤差率テーブルの例を示す。図示の換羽後誤差率テーブル２８は、換羽回復期間の誤差率テーブルであって、図示の下記の情報を対応づけて登録したものである。
【００８１】
・換羽後日付：
・誤差率：
・その他：
図６は、本発明の動作説明フローチャート（詳細）を示す。
【００８２】
図６の（ａ）は、既述した図３のＳ１２の詳細フローチャートであって、換羽に伴う産卵率低下の確認処理を示す。
【００８３】
図６の（ａ）において、Ｓ３１は、生産量を読み込む。これは、図１で生産量テーブル２１から本日の生産量Ｇｍ，前日の生産量Ｇｍ−１をそれぞれ読み込む。
【００８４】
Ｓ３２は、Ｇｍ＜Ｇｍ−１か判別する。これは、飼育する飼育場の電灯を消灯し、給餌を停止（水は与える）するという環境下に鶏をおくと、ほぼ１週間で換羽が始まるとともに序々に産卵率が低下する。換羽の開始後所定の期間は、まだ産卵を続けている鶏と、換羽状態に入り産卵率が低下してきた鶏がケージ内に混在するため、全鶏が換羽を開始するまでは、本日の生産量が昨日の生産量よりも小さくなる（Ｓ３２のＹＥＳ，Ｓ３３）。生産量が減少している場合はＳ３１へ戻る。全鶏が換羽開始すると生産量がほぼゼロ（Ｇｍがほぼゼロ）の状態が続くことになり産卵休止期間に入ったと判定できる（Ｓ３２のＮＯ，Ｓ３４）。
【００８５】
以上によって、電灯消灯と給餌停止を開始して本日の卵の生産量Ｇｍが昨日の卵の生産量Ｇｍ−１より減少をつづけ、ほぼゼロとなった時点で全鶏の換羽開始と判定することが可能となる。なお、産卵休止期間に入ったと判定された後は、次に換羽回復期に入ったかどうかを判定するための処理である図２のＳ１３へ処理を移行する。
【００８６】
図６の（ｂ）は、既述した図４のＳ２３の詳細フローチャートであって、換羽回復期間から通常の産卵状態へ戻ったかどうかを確認するための通常管理確認復帰処理を示す。
【００８７】
図６の（ｂ）において、Ｓ４１は、該当週齢の標準産卵率（Ｌｍ）を読み込む。これは、週齢産卵率テーブル２２から現在の鶏の週齢の標準産卵率Ｌｍを読み込む。
【００８８】
Ｓ４２は、算出した産卵率（Ｌ’ｍ）と比較する。
Ｓ４３は、Ｌ’ｍ≒Ｌｍか判別する。これは。Ｓ４２で算出した産卵率（Ｌ’ｍ（既述した図４のＳ２２で本日の産卵個数Ｋｍと、総鶏数Ｃｍとから（式１２）により算出））がＳ４１で読み込んだ標準産卵率Ｌｍとほぼ等しくまで回復したか判別する。ＹＥＳの場合には、Ｓ４４で通常産卵へ復帰（換羽回復期間の終了）と判定し、Ｓ４５で換羽テーブル３０のフラグをゼロ（０）にし、図２のＳ１から始まる本処理へ復帰する。一方、Ｓ４３でＮＯの場合には、未だ換羽回復期間中であると判定し図４のＳ２４以降の、換羽回復期間用のテーブルを利用した処理へ続く。
【００８９】
以上によって、現在の産卵率Ｌ’ｍを算出して当該産卵率Ｌ’ｍが、週齢産卵率テーブル２２から読み込んだ週齢の標準産卵率Ｌｍと比較し、ほぼ等しい産卵率まで回復した場合には換羽回復期間が終了と判定することが可能となる。
【００９０】
図７は、本発明の換羽期間の産卵率グラフ例を示す。図示グラフは、縦軸は産卵率を、横軸は日付（週齢）をそれぞれ表す。
【００９１】
図７において、（１）は、照明を消し、絶食を開始した日付を表す。照明を消し，絶食を開始（水は与える）した日付を表す。このような環境にすると鶏の換羽が開始され、ほぼ１週間で換羽が始まるので、それにつれて序々に産卵率が低下する。これは（１）から（２）の間の期間に相当し、図３のＳ１２及び図６の（ａ）の処理は、判定対象のケージがこの期間に相当するかどうかを判断するための処理である。全鶏が換羽を開始するまでは、本日の生産量が昨日の生産量よりも小さくなり（Ｓ３２のＮＯ，Ｓ３３）、全鶏が換羽開始すると生産量がほぼゼロ（Ｇｍがほぼゼロ）となり産卵休止期間となる（（２）の日付）。
【００９２】
（２）は、ほぼ全羽で産卵休止となった日を表す。そして、全羽産卵休止期間は一般的に１．５ヶ月から２．０ヶ月続く。本明細書では、換羽及び換羽による産卵休止期間である（１）から（３）の間の期間を換羽中と表現することもある。
【００９３】
（３）は、換羽を終了した鶏が徐々に産卵を開始した日を表す。（３）から（４）の間の期間が換羽回復期間に相当し、産卵率が通常の状態へ回復してゆく。本明細書では、この換羽回復期間を換羽後と表現することもある。図４のＳ１３およびＳ１４の処理は、判定対象のケージがこの期間に入り、生産量を元に死亡率が判定できる程度に産卵量が増えてきたかどうかを判断するための処理である。
【００９４】
（４）は、標準の産卵率Ｌｍとほぼ等しくなり、全羽産卵開始した日を表す。図４のＳ２３の処理は、判定対象のケージが（４）の状態になったかどうかを判定するための処理である。
【００９５】
以上のように、多数の鶏を飼育場で飼育し、消灯し，絶食開始（水は与える）と、約１．５ヶ月から２．０ヶ月で換羽を終了し、全羽が産卵を開始して産卵率が標準産卵率に回復するので、当該換羽開始以前および換羽終了以降について、既述した図２から図４のフローチャートに従い、週齢の変化や、換羽によって卵の生産量が変化しても当該生産量をもとに自動的に鶏の多数死亡のアラームを発することが可能となる。
【００９６】
（付記１）
飼育中の多数の鶏の産卵量をもとに死亡率を推定する死亡率自動推定方法において、
飼育中の多数の鶏の所定の期間毎の産卵量を読み込むステップと、
前記鶏の現在の週齢の産卵率、卵重を第一のテーブルから読み込むステップと、
前記読み込んだ産卵率、卵重をもとに理論生産量を算出するステップと、
前記算出した理論生産量と死亡危険率とから限界生産量を算出するステップと、
前記読み込んだ産卵量が前記算出した限界生産量を下回ったときに死亡率が大きいと判定するステップと
を有する産卵量による死亡率自動推定方法。
【００９７】
（付記２）
前記読み込んだ産卵量を誤差率で補正した補正後生産量が前記算出した限界生産量を下回ったときに死亡率が大きいと判定することを特徴とする付記１記載の産卵量による死亡率自動推定方法。
【００９８】
（付記３）
前記所定の期間は、所定日毎あるいは週毎とし、当該所定日毎あるいは週毎の各日の平均を算出して前記処理を行うことを特徴とする付記１あるいは付記２記載の産卵量による死亡率自動推定方法。
【００９９】
（付記４）
前記飼育中の多数の鶏が換羽後であって通常の産卵状態に戻るまでの期間は、前記鶏の現在の週齢の産卵率、卵重を読み込むテーブルを前記第一のテーブルから第二のテーブルに切り換えることを特徴とする付記１から付記３のいずれかに記載の産卵量による死亡率自動推定方法。
【０１００】
（付記５）
前記飼育中の多数の鶏が換羽中もしくは換羽後であって通常の産卵状態に戻るまでの期間の前記所定の期間の産卵量が所定の値を上回った場合に、前記鶏の現在の週齢の産卵率、卵重を読み込むテーブルを前記第二のテーブルから前記第一のテーブルへ切り換えることを特徴とする付記１から付記４のいずれかに記載の産卵量による死亡率自動推定方法。
【０１０１】
（付記６）
飼育中の多数の鶏の産卵量をもとに死亡率を推定する死亡率自動推定装置において、
飼育中の多数の鶏の所定の期間毎の産卵量を読み込む手段と、
前記鶏の現在の週齢の産卵率、卵重をテーブルから読み込む手段と、
前記読み込んだ産卵率、卵重をもとに理論生産量を算出する手段と、
前記算出した理論生産量と死亡危険率とから限界生産量を算出する手段と、
前記読み込んだ産卵量が前記算出した限界生産量を下回ったときに死亡率が大きいと判定する手段と
を備えたことを特徴とする産卵量による死亡率自動推定装置。
【産業上の利用可能性】
【０１０２】
本発明は、多数の鶏を飼育する養鶏場において、鶏の週齢の違いによる全体の生産量の変化、更に、換羽後の全体の生産量の変化に適合させて生産量を元に、死亡率が危険状態にあるか否かを的確に判定することが可能となる。
【図面の簡単な説明】
【０１０３】
【図１】本発明のシステム構成図である。
【図２】本発明の動作説明フローチャート（その１）である。
【図３】本発明の動作説明フローチャート（その２）である。
【図４】本発明の動作説明フローチャート（その３）である。
【図５】本発明のテーブル例である。
【図６】本発明の動作説明フローチャート（詳細）である。
【図７】本発明の換羽期間の産卵率グラフ例を示す。
【符号の説明】
【０１０４】
１：処理装置
１２：生産量読込処理手段
１３：誤差率算出処理手段
１４：限界生産量算出処理手段
１５：安全領域判定手段
１６：換羽判定手段
１７：危険アラーム発信処理手段
１８：換羽休止後限界生産量算出処理手段
１９：安全領域判定手段
２１：生産量テーブル
２２：週齢産卵率テーブル
２３：週齢卵重テーブル
２４：誤差率テーブル
２５：死亡率テーブル
２６：換羽後卵重テーブル
２７：換羽後産卵率テーブル
２８：換羽後誤差率テーブル
２９：換羽後死亡率テーブル
３０：換羽テーブル
３：設備機器
４：端末
５：管理者
【図１】
2006051000.tif 000003
【図２】
2006051000.tif 000004
【図３】
2006051000.tif 000005
【図４】
2006051000.tif 000006
【図５】
2006051000.tif 000007
【図６】
2006051000.tif 000008
【図７】
2006051000.tif 000009